(57)【要約】      （修正有）【課題】サンドイッチ型複合床版と主桁との接合部において、シーリング材の劣化や床版内部への浸水を防ぐサンドイッチ型複合床版の防水・防錆構造を提供する。【解決手段】底鋼板２と、底鋼板２の上面に所要間隔で並列に配置した複数本の形鋼と、隣接する形鋼間に架け渡した上鋼板１とで、底鋼板２と上鋼板１との間に形成した中空部にコンクリート９を充填してなるサンドイッチ型複合床版２１と、サンドイッチ型複合床版２１を下方から支持する主桁７との接合部において、底鋼板２と主桁７の上フランジ７ａとの間に橋軸方向にシーリング材５を設け、シーリング材５の外側に、底鋼板２の下面から上フランジ７ａの外側面にかけて重防食塗装５を施す。重防食塗装５を施すことによって、シーリング材５の劣化を防ぐとともにシーリング材５の劣化によって生じる隙間から内部のコンクリート９へ浸水するのを防ぐ。【選択図】図２
2015200157.tif 000002
【特許請求の範囲】
【請求項１】
底鋼板と、前記底鋼板の上面に所要間隔で並列に配置した複数本の形鋼と、隣接する前記形鋼間に架け渡した上鋼板とで、前記底鋼板と上鋼板との間に形成した中空部にコンクリートを充填してなるサンドイッチ型複合床版と、前記サンドイッチ型複合床版を下方から支持する主桁との接合部において、前記接合部は、前記底鋼板と前記主桁の上フランジとの間に橋軸方向にシーリング材を設け、前記シーリング材の外側に、前記底鋼板の下面から前記主桁の上フランジの外側面にかけて重防食塗装を施してあることを特徴とするサンドイッチ型複合床版の防水・防錆構造。
【請求項２】
前記重防食塗装により、底鋼板下面とシーリング材および上フランジ上面とシーリング材の隙間を完全に密閉することを特徴とする請求項１記載のサンドイッチ型複合床版の防水・防錆構造。
【請求項３】
底鋼板と、前記底鋼板の上面に所要間隔で並列に配置した複数本の形鋼と、隣接する前記形鋼間に架け渡した上鋼板とで、前記底鋼板と上鋼板との間に形成した中空部にコンクリートを充填してなるサンドイッチ型複合床版と、前記サンドイッチ型複合床版を下方から支持する主桁との接合部において、前記接合部は、前記底鋼板と前記主桁の上フランジとの間に橋軸方向にシーリング材を設け、前記シーリング材の外側に、前記底鋼板の下面から前記上フランジの外側面にかけてカバープレートを設け、前記カバープレートの外側に、前記底鋼板の下面から前記主桁の上フランジの下面にかけて重防食塗装を施してあることを特徴とするサンドイッチ型複合床版の防水・防錆構造。
【発明の詳細な説明】
【技術分野】
【０００１】
本発明は、道路橋などに用いられるサンドイッチ型複合床版の防水・防錆構造に関するものである。
【背景技術】
【０００２】
本発明でいうサンドイッチ型複合床版は、底鋼板と、底鋼板の上面に所要間隔で並列に配置した複数本の形鋼と、隣接する形鋼間に架け渡した上鋼板とで、底鋼板と上鋼板との間に中空部を有する鋼殻を形成し、その鋼殻内にコンクリートを充填してなるものであり、例えば道路橋などに多用されている。サンドイッチ型複合床版に関する発明として、例えば本出願人による特許文献１〜３がある。
【０００３】
従来の合成床版を使用した場合は、床版上面から床版コンクリート内部に浸水してしまうことによって底鋼板上へ滞水したり、床版コンクリート内部が劣化したりすることがあった。
【０００４】
一方、サンドイッチ型複合床版を使用した場合は、上鋼板を設けていることにより床版コンクリート内部への浸水を防ぐことができ、床版内部が劣化しにくいという利点がある。
【０００５】
床版上面（上鋼板上面）の滞水に対しては、スラブドレーンや導水管による橋面排水、上鋼板上面の防錆処理などの対策を実施して、床版上面（上鋼板上面）から床版コンクリート内部への浸水を防いでいる。
【０００６】
しかし、横殴りの雨などの荒れた天候下や橋面から跳ねる水分などによって、水分が底鋼板を伝って、底鋼板と主桁の上フランジとの隙間から床版コンクリート内部へ水分が侵入する場合がある。
【先行技術文献】
【特許文献】
【０００７】
【特許文献１】特許第３３４６２６４号公報
【特許文献２】特開２０００−２９７４１０号公報
【特許文献３】特開平１０−３０６４１０号公報
【発明の概要】
【発明が解決しようとする課題】
【０００８】
そこで、サンドイッチ型複合床版を用いる場合、底鋼板と主桁との接合部にはシーリングを施しているが、経年劣化や水分、紫外線による劣化によって、シーリング材にひび割れや剥がれが生じる場合がある。
【０００９】
シーリング材の劣化が進めば、施工当初の防水機能や伸縮機能を維持することは難しくなる。また、サンドイッチ型複合床版の底鋼板と主桁との接合部に隙間が生じることで、底鋼板に残った水分が底鋼板を伝って、床版コンクリート内部へ浸水してしまい、床版内部の劣化を引き起こすことになる。
【００１０】
よって、サンドイッチ型複合床版を使用する場合、底鋼板と主桁との接合部に設けたシーリング材の劣化を防ぎ、隙間が生じるのを防ぐことができれば、水密性や気密性は完全に保持されることになる。
【００１１】
本発明は、上述のような課題を図ったものであり、サンドイッチ型複合床版と主桁との接合部において、シーリング材の劣化や床版内部への浸水を防ぐサンドイッチ型複合床版の防水・防錆構造を提供することを目的としたものである。
【課題を解決するための手段】
【００１２】
本発明に係るサンドイッチ型複合床版の防水・防錆構造は、底鋼板と、底鋼板の上面に所要間隔で並列に配置した複数本の形鋼と、隣接する形鋼間に架け渡した上鋼板とで、底鋼板と上鋼板との間に形成した中空部にコンクリートを充填してなるサンドイッチ型複合床版と、サンドイッチ型複合床版を下方から支持する主桁との接合部において、接合部には、底鋼板と主桁の上フランジとの間に橋軸方向にシーリング材を設け、シーリング材の外側に、底鋼板の下面から主桁の上フランジの外側面にかけて重防食塗装を施してあることを特徴とするものである。
【００１３】
一般的にサンドイッチ型複合床版は、底鋼板の上面に所要の間隔をあけて並列に複数本の形鋼を配置し、隣接する形鋼どうしに上鋼板を架け渡して並べ、底鋼板と上鋼板との間に中空部を形成し、その中空部にコンクリートを充填することで構成されている場合が多い。
【００１４】
主にサンドイッチ型複合床版を道路橋などに用いる場合は、主桁の上にサンドイッチ型複合床版を載置する構成とし、サンドイッチ型複合床版と主桁との接合部は、底鋼板と主桁の上フランジとの間に橋軸方向にシーリング材を設けている。
【００１５】
シーリング材を設けることによって、底鋼板と主桁の上フランジとの隙間を埋め、底鋼板と主桁からの浸水を防いでいる。しかし、シーリング材の劣化などにより、底鋼板と主桁の上フランジとの間に隙間が生じ、その隙間から浸水し、床版コンクリート内部が劣化することがある。
【００１６】
そこで、シーリング材の外側に、底鋼板の下面から上フランジの外側面にかけて重防食塗装を施して、シーリング材を保護することによって、シーリング材の劣化を防ぎ、シーリング材の隙間から床版内部のコンクリートへ浸水するのを防ぐ。
【００１７】
シーリング材の劣化を防ぎ、底鋼板と主桁の上フランジとの間に生じる隙間を無くすことができるため、床版コンクリート内部に浸水することがなく、サンドイッチ型複合床版をほぼ完全に密閉することができる。
【００１８】
重防食塗装は、主に鋼材などの腐食防止を目的とした塗装であり、例えば海岸沿いなど過酷な腐食性環境に建設される鋼構造物や鋼管杭などに用いられているものであるが、本発明はこれを、接合部付近の底鋼板から主桁にかけて用いることとしたものである。
【００１９】
重防食塗装はもともと、防食性や耐候性に優れているため、底鋼板や主桁に対する高い防錆効果が得られるが、さらに、重防食塗装によりシーリング材への紫外線を遮断することができるため、シーリング材が紫外線によって劣化することなく、更なる延命化に繋がる。
【００２０】
重防食塗装を施した場合は、補修として重防食塗装を再度行うだけで済むことになり、補修や管理の手間が容易で、安全性の高いサンドイッチ型複合床版を提供することが可能になる。
【００２１】
本発明で施す重防食塗装は、シーリング材の耐久性を向上させるためには、底鋼板下面とシーリング材および上フランジ上面とシーリング材の隙間を完全に密閉するようにすることが好ましい。
【００２２】
サンドイッチ型複合床版は、横殴りの雨などの荒れた天候下や橋面から跳ねる水分などによって、水分が底鋼板を伝って、底鋼板と主桁の上フランジとの隙間から浸水し、シーリング材を劣化させる場合があった。
【００２３】
本発明では、シーリング材の外側に重防食塗装を施すことによって、底鋼板下面とシーリング材および上フランジ上面とシーリング材の隙間を無くし、サンドイッチ型複合床版を完全に密閉することができるため、底鋼板と主桁との接合部からの浸水を防ぎ、サンドイッチ型複合床版の耐久性を向上させることができる。
また、シーリング材は、底鋼板下面と上フランジの設置誤差を吸収し、かつ内部への浸水を防ぐ目的も有している。
【００２４】
サンドイッチ型複合床版を道路橋に用いる場合、橋軸直角方向に主桁を所要の間隔で配設し、隣接する主桁の上フランジどうしに底鋼板を載置する。その際、底鋼板と主桁の上フランジとの間に設置誤差が生じる可能性がある。そこで、底鋼板と上フランジの重なる部分の橋軸方向にシーリング材を設けることで、底鋼板と上フランジの設置誤差を吸収させることができる。
また、シーリング材は、底鋼板と上フランジとの隙間からサンドイッチ型複合床版内部へ浸水するのを防ぐ働きがある。
【００２５】
本発明において使用するシーリング材としては、合成樹脂製のシールパッキン、例えばクリヤマ株式会社の商品名モルトメール（登録商標）のようなものが適しているが、底鋼板と上フランジとの設置誤差を吸収することができ、耐久性や強度面において問題のないものであれば種類等は問わない。
【００２６】
また、本発明に係るサンドイッチ型複合床版の防水・防錆構造は、底鋼板と、底鋼板の上面に所要間隔で並列に配置した複数本の形鋼と、隣接する前記形鋼間に架け渡した上鋼板とで、底鋼板と上鋼板との間に形成した中空部にコンクリートを充填してなるサンドイッチ型複合床版と、サンドイッチ型複合床版を下方から支持する主桁との接合部において、底鋼板と主桁の上フランジとの間に橋軸方向にシーリング材を設け、シーリング材の外側に、底鋼板の下面から上フランジの外側面にかけてカバープレートを設け、カバープレートの外側に、底鋼板の下面から主桁の上フランジの下面にかけて重防食塗装を施す構成としてもよい。
【００２７】
サンドイッチ型複合床版と主桁との接合部において、底鋼板と主桁の上フランジとの間に橋軸方向にシーリング材を設け、シーリング材の外側に鋼板などのカバープレートを設ける。カバープレートとシーリング材との間には、モルタルなどを充填すればよく、カバープレートは、例えばスタッドボルトなどで留めるとよい。
【００２８】
カバープレートを設けることによって、シーリング材を保護することができるが、底鋼板とカバープレートとの間や主桁の上フランジとカバープレートとの間に隙間が生じる場合があるため、カバープレートの外側に、底鋼板の下面から主桁の上フランジの下面にかけて重防食塗装を施す。
【００２９】
カバープレートの外側に、底鋼板の下面から主桁の上フランジの下面にかけて重防食塗装を施すことによって、底鋼板とカバープレートとの間や主桁の上フランジとカバープレートとの間を埋めることができる。
【００３０】
また、底鋼板とカバープレートとの間や主桁の上フランジとカバープレートとの間から浸水することがなくなるため、シーリング材の劣化を防ぎ、シーリング材の隙間から床版内部のコンクリートへ浸水するのを防ぐことができる。
さらに、重防食塗装の防錆効果によって、カバープレートやアンカーボルトなどが錆びて劣化してしまうのを防ぎ、耐久性が向上する。
【００３１】
以上より、本発明に係るサンドイッチ型複合床版は、底鋼板と主桁の上フランジとの接合部の外側に、底鋼板の下面から上フランジにかけて重防食塗装を施すことによって、シーリング材の劣化を防ぎ、床版コンクリート内部に水分が侵入することがなく、サンドイッチ型複合床版を完全に密閉することができる。
【発明の効果】
【００３２】
本発明は、以上のような構成からなるので、次のような効果が得られる。
【００３３】
(１) サンドイッチ型複合床版と主桁の接合部において、底鋼板と上フランジの間に設けたシーリング材の外側に、底鋼板の下面から上フランジの外側面にかけて重防食塗装を施すことによって、サンドイッチ型複合床版と主桁の接合部との間に生じる隙間を埋めるとともに、シーリング材を保護し、床版内部のコンクリートへの浸水を防ぎ、サンドイッチ型複合床版を完全に密閉することができる。
【００３４】
(２) サンドイッチ型複合床版と主桁の接合部において、シーリング材の外側にカバープレートを設け、カバープレートの外側に底鋼板の下面から主桁の上フランジの下面にかけて重防食塗装を施すことによって、サンドイッチ型複合床版と主桁の接合部との間に生じる隙間を埋め、床版内部のコンクリートへの浸水を防ぎ、サンドイッチ型複合床版を完全に密閉することができる。
【００３５】
(３) 底鋼板と上フランジの間に設けたシーリング材の外側に重防食塗装を施すことによって、シーリング材が水分によって劣化するのを防ぐことができる。
【００３６】
(４) 重防食塗装は防食性に優れているため、サンドイッチ型複合床版と主桁との接合部付近の底鋼板や主桁、カバープレートなどが錆びるのを防ぎ、サンドイッチ型複合床版の耐久性を向上させることができる。
【００３７】
(５) 重防食塗装は耐候性に優れているため、紫外線を遮断し、シーリング材が紫外線によって劣化するのを防ぐことができる。
【図面の簡単な説明】
【００３８】
【図１】本発明に係るサンドイッチ型複合床版の一実施形態を示した概略斜視図である。
【図２】本発明に係るサンドイッチ型複合床版の一実施形態を示したもので、橋軸直角方向に対する拡大断面図である。
【図３】図２の実施形態におけるＸ−Ｘ′断面図である。
【図４】本発明に係るサンドイッチ型複合床版において、カバープレートを用いた場合の一実施形態を示したもので、橋軸直角方向に対する拡大断面図である。
【発明を実施するための形態】
【００３９】
以下、本発明の具体的な実施形態を添付図面に基づいて説明する。なお、本発明は以下に示される実施形態に限定されるものではない。
【００４０】
図１に、本発明に係るサンドイッチ型複合床版２１の一実施形態を概略斜視図で示した。サンドイッチ型複合床版２１を道路橋などに用いる場合、図１に示したようにサンドイッチ型複合床版２１は下方から主桁７に支持される。サンドイッチ型複合床版２１の上鋼板１の上には防水層２２を設け、防水層２２の上に舗装２３を施す。
【００４１】
サンドイッチ型複合床版２１は、床版上面（上鋼板１上面）に滞水する場合があるため、スラブドレーンや導水管による橋面排水、上鋼板１上面の防錆処理などの対策を実施しているため、上鋼板１から床版コンクリート内部へ水分が侵入することはない。
【００４２】
しかし、横殴りの雨などの荒れた天候下や橋面から跳ねる水分などによって、水分が底鋼板２を伝って、底鋼板２と主桁７の上フランジ７ａとの隙間から床版コンクリート内部へ浸水する場合があるため、本発明では、サンドイッチ型複合床版２１と主桁７の接合部に重防食塗装４を行なう。
【００４３】
図２、３は、図１のような実施形態における拡大断面図を示したものであり、図２は橋軸直角方向に対する断面図、図３は橋軸方向に対する断面図である。
【００４４】
サンドイッチ型複合床版２１は、底鋼板２の上面に所要間隔で複数本のＨ形鋼１１を並列に配置し、隣接するＨ形鋼１１の間に上鋼板１を架け渡している。上鋼板１と底鋼板２との間に中空部を有する鋼殻が形成され、その鋼殻内にコンクリート９を充填してコンクリート床版を形成する。
【００４５】
サンドイッチ型複合床版２１を下方から支持する主桁７との接合部は、底鋼板２と主桁７の上フランジ７ａとの間に橋軸方向にシーリング材５を設ける。
また、主桁７の上フランジ７ａの上面に、鉛直方向にスタッドボルト３を設けることによって、床版内部のコンクリートと主桁７の上フランジ７ａとの付着を強め、一体化させている。
【００４６】
シーリング材５を設けることによって、底鋼板２と主桁７の上フランジ７ａとの隙間を埋め、底鋼板と主桁からの浸水を防ぐとともに、底鋼板２下面と上フランジ７ａとの設置誤差を吸収させる。
【００４７】
しかし、シーリング材５の劣化などにより、底鋼板２と主桁７の上フランジ７ａとの間に隙間が生じ、その隙間から浸水し、床版コンクリート内部が劣化する場合があるため、シーリング材５の外側に、底鋼板２の下面から上フランジ７ａの外側面にかけて、重防食塗装４を施して、シーリング材５を保護する。
【００４８】
重防食塗装５は、主に鋼材などの腐食防止を目的とした塗装であり、従来、例えば海岸沿いなど過酷な腐食性環境に建設される鋼構造物や鋼管杭などに用いられている。また、重防食塗装は、上塗塗膜、中塗塗膜、下塗塗膜、防食下地から構成されており、重防食塗装５に用いられる塗料および材料の例を表１に示した。
【００４９】
【表１】
2015200157.tif 000003
【００５０】
シーリング材５の外側に、底鋼板２の下面から上フランジ７ａの外側面にかけて重防食塗装４を施すことによって、シーリング材５のひび割れや剥がれなどの劣化を防ぎ、底鋼板２と主桁７の上フランジ７ａとの間に隙間が生じないようにして、シーリング材５の隙間から床版内部のコンクリート９へ浸水するのを防ぐ。
【００５１】
また、重防食塗装４は防食性や耐候性に優れているため、接合部付近の底鋼板２や主桁７に対して防錆効果を図ることができる。
さらに、重防食塗装４はシーリング材５への紫外線を遮断するため、シーリング材５が紫外線によって劣化することなく、更なる延命化を図ることもできる。
【００５２】
よって、シーリング材５が水分や紫外線などによって劣化することがなく、床版コンクリート内部に水分が侵入しないため、サンドイッチ型複合床版２１をほぼ完全に密閉することができ、サンドイッチ型複合床版２１の耐久性を向上させる。
【００５３】
図４には、本発明に係るサンドイッチ型複合床版２１において、底鋼板２と主桁７の上フランジ７ａとの接合部にカバープレート６を用いた場合の拡大断面図を示した。
【００５４】
なお、橋軸方向の断面図は、図３の実施形態とほぼ同様であり、サンドイッチ型複合床版２１は、底鋼板２の上面に所要間隔で複数本のＨ形鋼１１を並列に配置し、隣接するＨ形鋼１１の間に上鋼板１を架け渡している。
上鋼板１と底鋼板２との間に中空部を有する鋼殻を形成し、その鋼殻内にコンクリート９を充填してコンクリート床版を形成する。
【００５５】
サンドイッチ型複合床版２１を下方から支持する主桁７との接合部は、底鋼板２と主桁７の上フランジ７ａとの間に橋軸方向にシーリング材５を設け、シーリング材５の外側にカバープレート６をスタッドボルト１０で留めている。シーリング材５とカバープレート６との間には、モルタル８などを充填する。
【００５６】
カバープレート６の外側に、底鋼板２の下面から主桁７の上フランジ７ａの外側面にかけて、重防食塗装４を施して、カバープレート６と底鋼板２との隙間、カバープレート６と上フランジ７ａとの隙間をなくし、床版内部のコンクリート９へ水分が侵入しないようにする。
【００５７】
また、カバープレート６の外側に、底鋼板２の下面から上フランジ７ａの外側面にかけて重防食塗装４を施すことによって、カバープレート６を保護し、カバープレート６の錆などによる劣化を防ぐことができる。
【００５８】
よって、サンドイッチ型複合床版２１の底鋼板２と主桁７の上フランジ７ａとの接合部に重防食塗装５を施した場合、底鋼板２と主桁７の上フランジ７ａとの接合部の隙間を塞ぐとともに、シーリング材５やカバープレート６などの劣化を防ぎ、隙間が生じることもないため、サンドイッチ型複合床版２１をほぼ完全に密閉することができ、サンドイッチ型複合床版２１の耐久性を向上させることができる。
【００５９】
サンドイッチ型複合床版２１に重防食塗装５を施した場合、補修は重防食塗装５をするだけで済むようになり、補修や管理の手間が容易で、安全性の高いサンドイッチ型複合床版２１を提供することが可能になる。
【符号の説明】
【００６０】
１…上鋼板（デッキプレート）、
２…底鋼板、
３…スタッドボルト、
４…重防食塗装、
５…シーリング材、
６…カバープレート、
７…主桁、７ａ…上フランジ、７ｂ…ウェブ、
８…モルタル、
９…コンクリート、
１０…スタッドボルト、
１１…Ｈ形鋼、
２１…サンドイッチ型複合床版、
２２…防水層、
２３…舗装
【図１】
2015200157.tif 000004
【図２】
2015200157.tif 000005
【図３】
2015200157.tif 000006
【図４】
2015200157.tif 000007